(57)【特許請求の範囲】
【請求項１】
光ケーブルを導入する開口部１１があり、テーパー状に対向側壁を有するケーブル導入部１がケーブル収納ケース本体４の一端に一対並設され、該ケーブル導入部１から入る光ケーブルの心線余長を巻回して収納する心線余長収納部２を備え、さらに該心線余長収納部２に連通して形成されるアダプタ収納部３が、ケーブル収納ケース本体４の他端に一対並設され、このケーブル収納ケース本体４に、光ケーブルの挿通用開口部５１を形成したカバー体５を係脱自在に嵌着配備すると共に、前記ケーブル導入部１に光ケーブルを把持するケーブル把持具６を着脱自在に嵌着装備し、該ケーブル把持具６は、ケーブル収納ケース本体４に挿通される光ケーブルを弾性的に挟持するプラスチックにより形成される断面コ字状の係止部材６１を連結片６２の両端に一体成形され、両係止部材６１を係脱自在に嵌合保持する構成とからなり、かつ前記アダプタ収納部３に光ケーブルの各端部が相互に接続されるコネクタ７が嵌挿されるアダプタ８を嵌脱自在に配備するのに、前記アダプタ収納部３に抜け止め嵌支する位置決め片８１，８１が突設されたアダプタ８を前記アダプタ収納部３に抜け落ちないように嵌支装備し、さらに該アダプタ８にコネクタ７に突設したストッパ７１が嵌入する係止孔８２を備えたことを特徴とする光ケーブル接続具。
【発明の詳細な説明】
【０００１】
【発明の属する技術分野】
本発明は、事務所、工場、一般住宅の家屋、その他の建物などの屋内外に配線される通信回線用の光ファイバケーブル（以下ケーブルという）を壁面またはデスク、その他の家具面に固定するための光ケーブル接続具で、光通信用の端末機器と接続後のケーブル配置処理を安全に行うことができる光ケーブル接続具に関するものである。
【０００２】
【従来の技術】
一般に、建物の屋内では屋内配線により壁面に導入されたケーブルに、その屋内で使用される光通信用端末機器が接続されてインターネットなどの情報通信、電話回線、ケーブルテレビその他の通信回線を利用することができるが、光通信端末機器の設置に際して、配線ケーブルは光通信の特性、特に光ファイバケーブルの信号伝送特性を十分に満足させることが配慮されなければならない。
【０００３】
【発明が解決しようとする課題】
ところが、従来でのオフィスや住居などの屋内における光通信端末機器の配置は様々で、光コンセントからの接続一つをとってみても配線に不都合が生じ、光通信の特性を満足することができず、光通信損失があって端末処理に適合しないことが多く、光ファイバケーブルの許容最小曲率が維持できなく配線工事の作業も煩雑で、しかも端末機器の配置転換や保守修理など、移動や増設ごとその都度配線工事をすることが必要となって面倒であるばかりでなく、光信号損失がないように安全に利用することが維持できないし、ケーブルの配線上でも体裁も悪いなど問題があった。
本発明では、これら従来の欠点を排除しようとするもので、光ケーブルの配線接続作業を容易にし、光ケーブルの許容最小曲率を維持して光通信の特性を十分満足でき、配線工事での工数も少なくケーブル固定もでき、光通信端末機器類への接続配線取扱いも著しく簡便化でき、配線工事の適正化にも役立って、しかもアダプタがアダプタ収納部に抜け落ちないように装備され、通信線接続不良が生じないようにコネクタ接続維持でき配線管理の安全性を高められ、組立作業での信頼性のある光ケーブル接続具を低コストで提供することを目的としている。
【０００４】
【課題を解決するための手段】
本発明は、光ケーブルを導入する開口部があり、テーパー状に対向側壁を有するケーブル導入部がケーブル収納ケース本体の一端に一対並設され、該ケーブル導入部から入る光ケーブルの心線余長を巻回して収納する心線余長収納部を備え、さらに該心線余長収納部に連通して形成されるアダプタ収納部が、ケーブル収納ケース本体の他端に一対並設され、このケーブル収納ケース本体に、光ケーブルの挿通用開口部を形成したカバー体を係脱自在に嵌着配備すると共に、前記ケーブル導入部に光ケーブルを把持するケーブル把持具を着脱自在に嵌着装備し、該ケーブル把持具、ケーブル収納ケース本体に挿通される光ケーブルを弾性的に挟持するプラスチックにより形成される断面コ字状の係止部材を連結片の両端に一体成形され、両係止部材を係脱自在に嵌合保持する構成とからなり、かつ前記アダプタ収納部に光ケーブルの各端部が相互に接続されるコネクタが嵌挿されるアダプタを嵌脱自在に配備するのに、前記アダプタ収納部に抜け止め嵌支する位置決め片が突設されたアダプタを前記アダプタ収納部に抜け落ちないように嵌支装備し、さらに該アダプタにコネクタに突設したストッパが嵌入する係止孔を備えたものである。
【０００５】
さらに本発明の特徴では、ケーブル収納ケース本体では、ケース内部に巻回されて収容される光ケーブルを保持する筒状ガイドリブと、光ケーブル押えの係止片とを突設した心線余長収納部を備えており、さらにテーパー状に対向側壁を有するケーブル導入部を一対並設し、各対向側壁内面に係止爪を複数突設して前記ケーブル把持具を保持したことで、信号伝送特性を十分満足させて光ケーブルの接続または分離時に容易に着脱することができ、光ケーブルを機械的にも安定した状態で配置することができる。
【０００６】
【発明の実施の形態】
この発明に係る光ケーブル接続具の実施例を図１乃至図４の例を用いて説明すると、光ケーブルａを導入する開口部１１のあるケーブル導入部１が一対並設され、該ケーブル導入部１から入る光ケーブルａの心線余長を巻回して収納する心線余長収納部２と、該心線余長収納部２に連通して形成されるアダプタ収納部３を一対有するケーブル収納ケース本体４に、光ケーブルａの挿通用開口部５１を形成したカバー体５を係脱自在に嵌着配備すると共に、前記ケーブル導入部１に光ケーブルａを把持するケーブル把持具６を着脱自在に嵌着装備し、かつ前記アダプタ収納部３に光ケーブルａの各端部が相互に接続されるコネクタ７を嵌挿されるアダプタ８を嵌脱自在に配備したアウタレット構成としてある。
【０００７】
この例では、前記ケーブル収納ケース本体４では、図２及び図３に示すように内部に巻回されて収容される光ケーブルａを保持する筒状ガイドリブ２１と、光ケーブル押えの係止片２２とを突設した心線余長収納部２を備えているが、前記係止片２２は巻回路に沿った側壁に適宜間隔をあけて配備され、光ケーブルａの浮きあがりや外れが防止される。
【０００８】
さらに、このケーブル収納ケース本体４は、開口部１１  のあるテーパー状に対向側壁を有するケーブル導入部１を一対並設し、各対向側壁内面に係止爪１２を複数突設して、前記ケーブル把持具６を保持しやすくしてある。
また、ケーブル収納ケース本体４としては、壁面取付用のネジ止め孔９およびスチールデスク、パネルなどの鉄材面に吸着する磁石１０或いは、壁面定着用の両面接着テープなどの接着部材を備え、屋内壁面またはデスクなどに取付けやすくしてある。
この場合、前記磁石１０はケーブル収納ケース本体４の筒状ガイドリブ２１の内面側に備えるのがよく、また接着部材ではケーブル収納ケース本体４の裏面側の適所に備えるのが好ましい。
【０００９】
前記カバー体５は、前記ケーブル収納ケース本体４の表面開口部を被覆するプラスチック材より形成した蓋体であって、ケーブル収納ケース本体４に設けた係止孔１１に前記カバー体５に設けた係止爪１２を係脱できるように対向配備して、カバー体５の脱着がしやすくするのが好ましい。
【００１０】
以上の構成からなるケーブル収納ケース本体４において、ケーブル導入部１の開口部１１から入る光ケーブルａは、ケーブル把持具６の係止部材６１，６１で挟持された状態でケーブル導入部１に嵌挿され、心線余長は心線余長収納部２の筒状ガイドリブ２１に巻回されて、心線通路を通ると共に、係止片２２により押えられてコネクタ収納部３に支持されるアダプタ８中に、光ケーブル端に連結されたプラグなどのコネクタ７を嵌装配備される。該コネクタ７に端末機器の通信機器からの接続端子のコネクタ７を差し込めば、信号伝送特性を十分満足する状態で接続される。
【００１１】
そして、このケーブル収納ケース本体４を建物室内壁面に取付ねじによりネジ止め孔９から取付ける簡単な操作で取付配線工事を行うことができるし、前記ケーブル収納ケース本体４にカバー体５を被覆結合して接続手段が露出しないようにして保護し、体裁上見ばえのよい状態として用いることができるほか、保守或いはケーブル分離時に、接続手段の脱着が容易に行え配線の便宜を図ることができる。
【００１２】
前記ケーブル把持具６としては、図４に示す如く、ケーブル収納ケース本体４に挿通される光ケーブルａを弾性的に挟持するプラスチックにより形成される断面コ字状の係止部材６１，６１を連結片６２の両端に一体成形され、対向内面に係止爪６３を突設して凹凸面とし、両係止部材６１，６１を係脱自在に嵌合保持する構成とし、前記ケーブル収納ケース本体４のケーブル導入部１に嵌入されて係止爪１１で強固に保持されるようになっている。
この場合、一方の係止部材６１に嵌挿用ガイド凹部６４を形成し、他方の係止部材６１を向かい合わせに嵌入して、光ケーブルａを挟持するようにするのがよく、また一方或いは両方の係止部材６１の外側面に係止爪６５を突設して、ケーブル導入部１の係止爪１２と係合してすべり止め、抜け防止に役立たせるのがよい。
【００１３】
また、前記アダプタ８は、図５に示すように両端開口のある貫通中空筒体からなり、光ケーブルａの末端に接続されるプラグ或いはレセプタクルを備えた通信線接続部のＳＣ型コネクタまたはＭＴ型コネクタ７を挿脱自在に連結しうるアダプタとして、前記ケーブル収納ケース本体４に複数並列して配備されるが、アダプタ収納部３に嵌支する位置決め片８１，８１を筒体外側面に突設し、ケーブル収納ケース本体４から抜け落ちないように装備され、貫通孔に前記コネクタ７が嵌挿されるようにするのがよい。
この場合、前記コネクタ７に突設したストッパ７１が嵌入する係止片８２をアダプタ８に備え、通信線接続不良が生じないように接続維持が確実にできるようにしてある。また、このアダプタ８が、前記ケーブル収納ケース本体４に複数並列して配備したことで、心線接続部へのアクセスが簡便化できると共に、配線管理や組立分離作業も容易に行えて、信頼性も高められる。
【００１４】
以上のように、前記ケーブル導入部１の一方側から光ケーブルａを入れて、心線の曲率を小さくすることなく余長心線の巻回収納ができ、ケーブル導入部１１にケーブル把持具６を介在させれば、心線がケーブル収納ケース本体４に擦れることが防ぎ得て、引張衝撃などをも確実に防止することができ、安全な配線ができる。
【００１５】
【発明の効果】
本発明は、光ケーブルを導入する開口部があり、テーパー状に対向側壁を有するケーブル導入部がケーブル収納ケース本体の一端に一対並設され、該ケーブル導入部から入る光ケーブルの心線余長を巻回して収納する心線余長収納部を備え、さらに該心線余長収納部に連通して形成されるアダプタ収納部が、ケーブル収納ケース本体の他端に一対並設されているので、光ケーブルの配線接続作業を容易にし、光ケーブルの許容最小曲率を維持して光通信の特性を十分満足でき、配線工事での工数も少なくケーブル固定もでき、光通信端末機器類への接続配線取扱いも著しく簡便化でき、配線工事の適正化に寄与し、配線の適宜を図ることができると共に、ケーブル把持具が、ケーブル収納ケース本体に挿通される光ケーブルを弾性的に挟持するプラスチックにより形成される断面コ字状の係止部材を連結片の両端に一体成形され、両係止部材を係脱自在に嵌合保持する構成として、前記ケーブル導入部に嵌支することができるので、光ケーブルがケーブル収納ケース本体のケーブル導入部を通るときに心線に対する引張衝撃などをも確実に防止でき、各配線の干渉もなくした安全な配線ができる。
さらに、アダプタ収納部に光ケーブルの各端部が相互に接続されるコネクタが嵌挿されるアダプタを嵌脱自在に配備するのに、前記アダプタ収納部に抜け止め嵌支する位置決め片が突設されたアダプタを前記アダプタ収納部に抜け落ちないように嵌支装備し、さらに該アダプタにコネクタに突設したストッパが嵌入する係止孔を備えたので、光信号損失がなく配線接続作業を行うことができ、配線工事工数も少なく簡単な操作でケーブル固定が確実にでき、安全性を高め信頼性のある光ケーブル接続が可能となるし、光ケーブルの各端部が相互に接続されるコネクタが確実に接続維持でき、特に通信線接続不良が生じないように接続維持できて配線管理の安全性を高められ、組立作業の信頼性もあるし、光通信端末機器類への接続配線取扱いも著しく簡便化でき、配線工事の適正化にも役立って接続作業性をも大幅に向上することができる。
さらにまた、光ケーブルの心線余長の収納が収まり良くでき心線の巻回収納にも余裕があり、しかも心線の保持も緩衝的に行われているので、心線に弛みが生じないし、光ファイバ心線に無理な屈曲や小円弧が発生することなく光損失をなくして伝送特性を良好に保つことができるほか、光通信を利用するときに簡単な操作でその端末を着脱自在に接続することができ、取付け配線工事も体裁良好で安全に行うことができる。
【図面の簡単な説明】
【図１】  本発明の実施例を示す光ケーブル接続具の分離状態の斜視図である。
【図２】  図１の例のケーブル収納ケース本体とカバー体を示し、（ａ）はカバー体を取除いて内部を示すケーブル収納ケース本体の正面図、（ｂ）はカバー体を分離状態とした側面図、（ｃ）はその平面図である。
【図３】  図２の例の断面図を示し、（ａ）はＡ−Ａ線における縦断面図、（ｂ）はＢ−Ｂ線における横断面図、（ｃ）は組込状態を示す縦断面図である。
【図４】  図１の例のケーブル把持具を示し、（ａ）はその平面図、（ｂ）はその縦断面図、（ｃ）はその正面図（ｄ）はその組込使用状態を示す縦断面図である。
【図５】  図１の例のコネクタを嵌挿した状態のアダプタを示し、（ａ）は縦断面図、（ｂ）は光コネクタの組込み分離状態の斜視図である。
【符号の説明】
ａ    光ケーブル
１    ケーブル導入部
１１  開口部
２    心線余長収納部
３    アダプタ収納部
４    ケーブル収納ケース本体
５    カバー体
５１  開口部
６    ケーブル把持具
６１  係止部材
７    コネクタ
７１  ストッパ
８    アダプタ
８１  位置決め片
９    ネジ止め孔
１０    磁石
１１    係止孔
１２    係止爪
【図１】
0003963776.tif 000002
【図２】
0003963776.tif 000003
【図３】
0003963776.tif 000004
【図４】
0003963776.tif 000005
【図５】
0003963776.tif 000006